(57)【要約】【課題】  不正防止効果を著しく向上させることができるとともに、コストが嵩んでしまうのを抑制することができる遊技媒体計数装置を提供する。【解決手段】  遊技の過程で遊技カードＫに記録された遊技媒体数を読み出すための読出手段９と、遊技によって獲得された遊技媒体を計数するための計数手段１６と、読出手段９で読み出された遊技媒体数と計数手段１６で計数された遊技媒体数とを比較する比較手段１７とを備えるとともに、当該比較手段１７によって比較された数値のうち少ない方の遊技媒体数を出力する出力手段１２を具備した遊技媒体計数装置７である。【選択図】図２
2005177258.tif 000002
【特許請求の範囲】
【請求項１】
遊技の過程で遊技結果記録媒体に記録された遊技媒体数を読み出すための読出手段と、
遊技によって獲得された遊技媒体を計数するための計数手段と、
を備えたことを特徴とする遊技媒体計数装置。
【請求項２】
前記読出手段で読み出された遊技媒体数、及び前記計数手段で計数された遊技媒体数を表示する表示手段を具備したことを特徴とする請求項１記載の遊技媒体計数装置。
【請求項３】
前記読出手段で読み出された遊技媒体数と前記計数手段で計数された遊技媒体数とを比較する比較手段を備えるとともに、当該比較手段によって比較された数値のうち少ない方の遊技媒体数を出力する出力手段を具備したことを特徴とする請求項１又は請求項２記載の遊技媒体計数装置。
【請求項４】
前記比較手段によって比較された数値のうち少ない方の遊技媒体数を表示する比較結果表示手段を具備したことを特徴とする請求項３記載の遊技媒体計数装置。
【発明の詳細な説明】
【技術分野】
【０００１】
本発明は、遊技場において獲得された遊技媒体の数を計数するための遊技媒体計数装置に関するものである。
【背景技術】
【０００２】
通常、スロットマシン等の遊技機が設置してある遊技場においては、遊技の結果払い出された遊技媒体を遊技媒体計数装置に投入し、その計数された遊技媒体数に応じた景品を得ることができるようになっている。このように遊技媒体は、その数に応じて景品と交換し得るものであるため、中古のコイン等を安く入手して遊技場外から不正に持ち込み、それを当該遊技場における遊技で獲得したかのように装って遊技媒体計数装置へ投入する行為や、当該遊技場内において他人が獲得した遊技媒体を盗んで遊技媒体計数装置へ投入する行為が発生する事態があった。
【０００３】
従来、例えば特許文献１に開示されているように、各遊技媒体に識別機能を付しておくことにより、遊技場外から遊技媒体を不正に持ち込む不正行為を防止する技術が開示されている。かかる文献には、スロットマシンに投入されるコイン毎に識別情報を蓄積したＩＣチップを具備させておき、その識別情報を送受信することにより遊技場における正規の遊技媒体であるか否かを識別していた。
【特許文献１】特開２００３−５２９０３号公報
【発明の開示】
【発明が解決しようとする課題】
【０００４】
しかしながら、上記従来の技術においては、遊技場外から不正に持ち込まれる遊技媒体を排除するには有効であるものの、同一の遊技場において他人の遊技媒体を盗み景品と交換する不正行為に対しては防止するのが不可能であり、不正防止効果に乏しいという問題があった。特に、我国においても公営の賭博場であるカジノについて、近年開設の是非の議論があり、かかるカジノで使用される遊技媒体についての不正防止策も検討されるに至っている。また、膨大な数の遊技媒体のそれぞれにＩＣチップ等を具備させなければならず、コストが嵩んでしまうという問題もあった。
【０００５】
本発明は、このような事情に鑑みてなされたもので、不正防止効果を著しく向上させることができるとともに、コストが嵩んでしまうのを抑制することができる遊技媒体計数装置を提供することにある。
【課題を解決するための手段】
【０００６】
請求項１記載の発明は、遊技の過程で遊技結果記録媒体に記録された遊技媒体数を読み出すための読出手段と、遊技によって獲得された遊技媒体を計数するための計数手段とを備えたことを特徴とする。
【０００７】
請求項２記載の発明は、請求項１記載の遊技媒体計数装置において、前記読出手段で読み出された遊技媒体数、及び前記計数手段で計数された遊技媒体数を表示する表示手段を具備したことを特徴とする。
【０００８】
請求項３記載の発明は、請求項１又は請求項２記載の遊技媒体計数装置において、前記読出手段で読み出された遊技媒体数と前記計数手段で計数された遊技媒体数とを比較する比較手段を備えるとともに、当該比較手段によって比較された数値のうち少ない方の遊技媒体数を出力する出力手段を具備したことを特徴とする。
【０００９】
請求項４記載の発明は、請求項３記載の遊技媒体計数装置において、前記比較手段によって比較された数値のうち少ない方の遊技媒体数を表示する比較結果表示手段を具備したことを特徴とする。
【発明の効果】
【００１０】
請求項１の発明によれば、読出手段によって遊技結果記録媒体に記録された遊技媒体数を読み出し、計数手段によって獲得された遊技媒体を計数するので、これらを比較すれば不正防止効果を著しく向上させることができるとともに、コストが嵩んでしまうのを抑制することができる。
【００１１】
請求項２の発明によれば、表示手段により読出手段で読み出された遊技媒体数及び計数手段で計数された遊技媒体数を表示するので、両遊技媒体数を共に視認することができ、これらの比較を容易とすることができる。
【００１２】
請求項３の発明によれば、比較手段によって読出手段で読み出された遊技媒体数と計数手段で計数された遊技媒体数とを比較し、その結果少ない方の遊技媒体数を出力するので、不正行為や遊技者側の不注意等により増加した遊技媒体数分の出力を排除することができ、不正防止効果を更に向上させることができる。
【００１３】
請求項４の発明によれば、比較結果表示手段によって、比較された数値のうち少ない方の遊技媒体数を表示するので、不正行為や遊技者側の不注意等により増加した遊技媒体数分を排除した状態での表示が可能であり、遊技場側と遊技者側との無用なトラブルを回避することができる。
【発明を実施するための最良の形態】
【００１４】
以下、本発明の実施形態について図面を参照しながら具体的に説明する。
本実施形態に係る遊技機は、パチンコ店などの遊技場に設置されたスロットマシンに適用されたもので、図１に示すように、遊技媒体としてのコインの投入数を計数するための遊技媒体検出手段５と、遊技機１における遊技全般を制御するための遊技制御基板２と、遊技の実行の結果賞が発生したときにコインを払い出す払出手段３と、コインの増減に関連するデータを遊技結果記録媒体としての遊技カードＫに記録するための記録手段４とを具備している。
【００１５】
遊技カードＫは、例えば磁気にて所定情報を記録する磁気記録媒体やＩＣチップが埋め込まれたＩＣカード等から成り遊技者が携帯可能とされたもので、遊技機１の所定位置に形成された記録手段４に挿入することにより、遊技の際に生じたコインの増減情報を書き込み及び読み出し可能とされている。尚、遊技カードＫは、外観形状がカード型のものの他、他の形状の記録媒体としてもよい。
【００１６】
遊技制御基板２と、払出手段３、記録手段４及び遊技媒体検出手段５とは電気的に接続されており、遊技媒体検出手段５による検出情報が投入信号として遊技制御基板２に送信されるとともに、遊技の実行の結果賞が発生して払い出される情報が払出信号として遊技制御基板２から払出手段３に送信されるよう構成されている。投入信号や払出信号が送信された遊技制御基板２では、それらをカウントした後枚数を計算し、投入数情報及び払出数情報としている。
【００１７】
然るに、遊技制御基板２にて生成された投入数情報及び払出数情報は、投入数信号及び払出信号として記録手段４に送信されるよう構成されている。そして、記録手段４は、遊技機１に対してコインの投入があった場合に、その投入数分の減算処理を行うとともに、払出３からのコインの払出があった場合に、その払出数分の加算処理を行うよう構成されている。
【００１８】
即ち、コインの投入をした際には遊技者の手持ちのコイン数（遊技カードＫに記憶された値）から投入数を減算し、払出が行われた際には遊技者の手持ちのコイン数に払出数を加算するので、遊技者が持っているコインの増減と遊技カードＫに記憶された数値（枚数）とが常に一致するようになっている。従って、手持ちのコインの枚数と遊技カードＫに記憶された数値とが一致しない場合は、何らかの不正行為（他店からのコインの持ち込みや他人のコインの盗難）が行われた可能性があると判断することができる。
【００１９】
更に、遊技者に対するコインの貸し出しを行うべく投入金額に応じた枚数のコインを貸出可能な遊技媒体貸出手段６が遊技機１の近傍等に設置されており、当該遊技媒体貸出手段６は遊技機１における記録手段４と電気的に接続されている。そして、遊技媒体貸出手段６により貸し出されたコインの枚数が貸出数信号として記録手段４に送信され、該記録手段４は、その貸出数分の加算処理が行われるよう構成されている。
【００２０】
このように、遊技媒体貸出手段６によりコインの貸出があった場合に、その貸出数分の加算処理が行われるので、貸出により増加したコインの枚数が手持ちのコイン枚数に加算され、遊技者が持っているコイン（貸出により増加したコインを含む）と遊技カードＫに記録された数値とが常に一致するようになっている。従って、遊技機１に対する投入数、及び払出手段３による払出数に加えて、遊技媒体貸出手段６による貸出数をも考慮した値が遊技カードＫに記録される。
【００２１】
上記遊技機によれば、遊技者が持っているコインの枚数と遊技カードＫに記録された数値とが常に一致することとなり、後述する遊技媒体計数装置にてコインの枚数を計数する際、遊技カードＫに記録された数値を参照することができ、不正行為を抑制するのが容易となる。即ち、遊技カードＫによる情報の記録のみでは、当該カードの不正操作（記録された数値の不正な書き換え等）が行われる可能性があるのに対し、本実施形態によれば、手持ちのコインの枚数と比較することができるので、より不正行為を抑制することができる。更に、遊技カードＫに加算処理又は減算処理後の数値を記録することにより不正を抑制することができるので、遊技媒体毎（コイン毎）にＩＣチップ等を具備させたものに比べ、コストを低減することができる。
【００２２】
ここで、遊技者の持っているコイン数に応じて所定の景品と交換する際に、図２に示すような遊技媒体計数装置７にてコインの計数が行われる。かかる遊技媒体計数装置７は、投入された多数のコインを収容可能な収容部の底面に、モータにより回転可能な回転円盤を備えたものから成り、計数手段１６及び比較手段１７を具備した計数制御基板８と、計数開始スイッチ１０と、比較結果表示手段１１と、出力手段１２と、モータ駆動手段１３と、回転円盤１４と、コイン計数用検出スイッチ１５と、読出手段９とから主に構成されている。
【００２３】
計数制御基板８は、コインの計数動作全般を制御するためのもので、計数開始スイッチ１０の操作があると、モータ駆動手段１３による制御を行わせ、回転円盤１４を回転させるよう構成されている。そして、回転円盤１４の回転により遠心力を生じさせ、１枚毎に移動されたコインをコイン計数用検出スイッチ１５にて検出し、その検出信号を計数制御基板８の計数手段１６に送信することにより獲得されたコインを計数する。即ち、計数手段１６は、コイン計数用検出スイッチ１５による検出をカウントして投入された総コイン枚数を計数するよう構成されているのである。
【００２４】
読出手段９は、遊技媒体計数装置７の所定の位置に形成されて遊技カードＫを差し込み可能とされたもので、当該遊技カードＫに記録された情報（遊技者によって獲得された遊技媒体数、即ち、遊技機１による遊技中及び遊技媒体貸出手段６による貸出時にて加算処理又は減算処理された数値）を読み出し可能とされたものである。読み出された数値は、計数制御基板８に送信される。
【００２５】
比較手段１７は、読出手段９から送信された遊技媒体数と計数手段１６で計数された遊技媒体数との比較を行うためのもので、比較の結果両者の数値が一致した場合は、その遊技媒体数を比較結果表示手段１１にて表示させるとともに、両者の数値が一致しない場合は、少ない方の遊技媒体数を比較結果表示手段１１にて表示させる。
【００２６】
これにより、不正行為や遊技者側の不注意等により増加又は減少した遊技媒体数分を排除した状態での出力が可能であり、遊技場側と遊技者側との無用なトラブルを回避することができる。即ち、遊技場外から不正に持ち込まれた遊技媒体や同一の遊技場において他人から盗んだ遊技媒体を遊技媒体計数装置７に投入した場合、その不正による増加した分を排除した遊技媒体数が表示されるとともに、遊技中や搬送中にコインを紛失した場合、その遊技者の不注意による減少した分（遊技カードＫに記録された数値は紛失した後の遊技媒体数より多い分）を排除した遊技媒体数が表示される。
【００２７】
出力手段１２は、比較手段１７によって比較された数値のうち少ない方の遊技媒体数を出力するためのもので、例えば紙等のシート状部材に獲得した遊技媒体数を印刷して排出するためのものである。このように、少ない方の遊技媒体数を出力するので、不正行為や遊技者側の不注意等により増加した遊技媒体数分の出力を排除することができ、不正防止効果を更に向上させることができる。
【００２８】
以上、本実施形態について説明したが、本発明はこれに限定されるものではなく、例えば比較結果表示手段１１に代えて、読出手段９で読み出された遊技媒体数、及び計数手段１６で計数された遊技媒体数を共に表示する表示手段としてもよく、かかる表示手段によれば、両遊技媒体数を共に視認することができ、これらの比較を容易とすることができる。また、出力手段１２においても、比較手段１７で比較した結果少ない方の遊技媒体数のみを出力するものに限らず、両方の数値を併せて出力するようにしてもよい。更に、比較手段１７による比較の結果、両者の数値が一致しない場合、別途の報知手段等にて報知するよう構成してもよい。
【００２９】
また更に、遊技カードＫに対してコインを獲得した遊技機（スロットマシン）の識別番号も記録することにより、該当する遊技機において実際に払い出されたコイン数との比較をも行うことができ、遊技場外からの不正な持ち込み等の不正行為を更に抑制することができる。また、遊技カードを固有のＩＤが付与されたＩＤカードとし、暗証番号などを同時に入力しなければ遊技機からＩＤカードを抜き取りできないようにすれば、遊技カードの盗難も防止でき、不正防止効果を更に向上させることができる。
【００３０】
然るに、カジノ等に設置された遊技機であれば、固有のＩＤカードの発行時に遊技者の身元の登録などを行うことができ、その遊技者における依存症対策、防犯対策を講じることができ、個人の消費に対する情報も管理することができる等種々の機能を付加することができる。また、本実施形態においてはスロットマシンに適用されているが、これに代えてパチンコ遊技機等他の遊技機に適用することができる。パチンコ遊技機に適用した場合、遊技媒体は遊技球とされ、計数手段により遊技球数が計数されることとなる。
【産業上の利用可能性】
【００３１】
遊技の過程で遊技結果記録媒体に記録された遊技媒体数を読み出すための読出手段と、遊技によって獲得された遊技媒体を計数するための計数手段とを具備した遊技媒体計数装置であれば、他の種々機能が付加されたものにも適用することができる。
【図面の簡単な説明】
【００３２】
【図１】本発明の実施形態に係る遊技機の構成を示すブロック図
【図２】本発明の実施形態に係る遊技媒体計数装置の構成を示すブロック図
【符号の説明】
【００３３】
１    遊技機
２    遊技制御基板
３    払出手段
４    記録手段
５    遊技媒体検出手段
６    遊技媒体貸出手段
７    遊技媒体計数装置
８    計数制御基板
９    読出手段
１０  計数開始スイッチ
１１  比較結果表示手段
１２  出力手段
１３  モータ駆動手段
１４  回転円盤
１５  コイン計数用検出スイッチ
１６  計数手段
１７  比較手段
Ｋ    遊技カード（遊技結果記録媒体）
【図１】
2005177258.tif 000003
【図２】
2005177258.tif 000004